(57)【要約】【課題】従来のハロゲンランプと光学フィルターに比べて、光の波長帯域を狭め、所望の波長帯域のスループットを高め、さらに異なる波長帯域の光を照射可能とする。【解決手段】単色ＬＥＤ光源、単色レーザーダイオード光源又はレーザー光源から出射された単色光であって、半値幅が所定の波長幅以内の超狭帯域の単色光のピーク波長を可変とした波長可変単色光照射光源を備える。具体的には、ＬＥＤ光源を用いる場合は、光源から出射された各光の波長帯域を絞るバンドバスフィルターと、概フィルターを透過した半値幅が１〜１０ｎｍの超狭帯域の光を拡散する拡散レンズとからなる。また、レーザーダイオード光源を用いる場合は、光源と光を拡散する拡散手段とからなる。一方、レーザー光源を用いる場合は、レーザー光源から出射された光の波長を可変にする波長可変ユニットと、波長可変ユニットから出力されるレーザー光を拡散する拡散手段とからなる。【選択図】図４
2007203038.tif 000002
【特許請求の範囲】
【請求項１】
単色ＬＥＤ（Light Emitting Diode）光源若しくは単色レーザーダイオード光源から出射された単色光であって、半値幅が所定の波長幅以内の超狭帯域の単色光のピーク波長を可変とした波長可変単色光照射光源を備えたことを特徴とする美顔育毛器。
【請求項２】
前記波長可変単色光照射光源が、異なるピーク波長を有する複数の単色ＬＥＤ光源と、前記単色ＬＥＤ光源から出射された各々の光の波長帯域を絞るバンドバスフィルターと、前記バンドバスフィルターを透過した半値幅が１〜１０ｎｍの超狭帯域の光を拡散する拡散レンズとからなることを特徴とする請求項１に記載の美顔育毛器。
【請求項３】
前記波長可変単色光照射光源が、異なるピーク波長を有する複数の単色レーザーダイオード光源と、前記単色レーザーダイオード光源の光を拡散するシリンドリカルレンズ、拡散板若しくは拡散レンズの中から１つ或いは２つ以上用いた拡散手段とからなることを特徴とする請求項１に記載の美顔育毛器。
【請求項４】
前記波長可変単色光照射光源が、異なるピーク波長を有する複数の単色ＬＥＤ光源若しくは単色レーザーダイオード光源と、前記単色ＬＥＤ光源若しくは単色レーザーダイオード光源から出射された光を一つの光路に集束させる導光路と、前記導光路の出口側に設けられ所定の波長帯の光のみを選択通過させる分光手段と、前記分光手段から透過された光を拡散させる拡散手段とからなることを特徴とする請求項１に記載の美顔育毛器。
【請求項５】
前記波長可変単色光照射光源が、異なるピーク波長を有する複数の単色ＬＥＤ光源若しくは単色レーザーダイオード光源と、前記単色ＬＥＤ光源若しくは単色レーザーダイオード光源から出射された光のうち所定の波長帯の分散光のみを通過させるスリットとを備えてなることを特徴とする請求項１に記載の美顔育毛器。
【請求項６】
前記複数の単色ＬＥＤ光源が、赤色ＬＥＤ、青色ＬＥＤ、緑色ＬＥＤからなるものであり、前記赤色ＬＥＤを連続して中央に配置させ、その周囲を前記青色ＬＥＤおよび緑色ＬＥＤで取り囲むように配置させ、前記青色ＬＥＤおよび緑色ＬＥＤの光軸を中央へ傾けたことを特徴とする請求項２に記載の美顔育毛器。
【請求項７】
前記分光手段が回転機構を有する回折格子であることを特徴とする請求項５に記載の美顔育毛器。
【請求項８】
前記複数の単色ＬＥＤ光源が、青色ＬＥＤ、青緑色ＬＥＤ、緑色ＬＥＤ、檸檬色ＬＥＤ、黄色ＬＥＤ、橙色ＬＥＤ、赤色ＬＥＤからなるものであることを特徴とする請求項２，４，５のいずれか１項に記載の美顔育毛器。
【請求項９】
複数の単色ＬＥＤ光源を配列した基板が、光源の光軸と垂直な面で回転可能に構成されていることを特徴とする請求項２，４，５のいずれか１項に記載の美顔育毛器。
【請求項１０】
超狭帯域の単色光を照射し得るレーザー光源と、前記レーザー光源から出射された光の波長を可変にする波長可変ユニットと、前記波長可変ユニットから出力されるレーザー光を拡散する拡散手段とからなることを特徴とする請求項１に記載の美顔育毛器。
【請求項１１】
前記拡散手段は、シリンドリカルレンズ、拡散板若しくは拡散レンズの中から１つ或いは２つ以上用いたものであることを特徴とする請求項１０に記載の美顔育毛器。
【発明の詳細な説明】
【技術分野】
【０００１】
本発明は、肌、皮膚に光を照射する美顔育毛器であって、所望の波長帯の光を照射することのできる美顔育毛器に関するもので、特に、超狭帯域の単色光を照射し、そのピーク波長を究極的に無段階に近い調節可能な美顔育毛器に関する。
【背景技術】
【０００２】
従来、赤外および紫外の波長域を除く可視光域の光を顔の皮膚に照射する光美顔器では、ハロゲンランプに特定波長光だけを透過させるフィルターをつけることによって、可視光域の光を照射するものであった。また、他の光美顔器においては、単色ＬＥＤと光学フィルターとを併用して所望の波長帯域の励起光を皮膚に照射するものが知られている（特許文献１）。
【０００３】
本発明者は、上記の光美顔器の効能を確かめる中で、照射光の波長幅が狭く単色性に優れたものが美顔育毛に優れた効能を有するのではないかと考えた。そして、実際に照射光の波長幅が狭く単色性に優れた単色光の照射装置を複数準備し、その効能を確かめることとした。最終目標としては、美顔育毛効果には個人差があることに鑑み、最適な波長帯の単色光を照射できるように、波長幅が狭く単色性に優れた単色光のピーク波長を無段階に調節することが可能な美顔育毛器を製作することである。
【０００４】
先ず、ランプ光源の光をフィルターで波長をカットし波長幅が狭い単色光を取り出す手段について検討を行った。これは、キセノンランプやハロゲンランプなど、紫外光域から赤外光域までブロードな波長成分を含んだ白色光を、バンドパスフィルターなどで必要な波長だけ透過させて照射させるものである。しかし、この手段は次に述べる問題がある。すなわち、単色性は使用するフィルター特性に依存すること、単色性を良くするため透過し得るバンド幅の狭いフィルターを選択するほど透過率が低下すること、必要な波長分だけフィルターが必要なこと、が問題として挙げられる。
【０００５】
また、ランプ光源の光を分光器で分光する手段について検討を行った。これは、キセノンランプやハロゲンランプなど、紫外光域から赤外光域までブロードな波長成分を含んだ白色光を、分光器内蔵のグレーティングで分光する方法である。グレーティングの角度を変化させることにより、プリズムの如く光が分けられるものである。単色光の切替は、分光器のスリット幅の調整で行え、また、単色性を下げることにより光量を得るなどの調整も可能である。しかし、グレーティングで分光するため、グレーティングで分光されて分光器スリットを通過して出る単色光は、非常に弱くなる。
【０００６】
以上の様々な検討を行い、以下に述べるような構成の装置を製作し、その効能を確認したものである。
【０００７】
【特許文献１】特開２００５−０００２７６号公報
【発明の開示】
【発明が解決しようとする課題】
【０００８】
本発明は、従来の単色ＬＥＤと光学フィルターとの併用に比べて、照射する光の波長帯域を正確に限定でき、所望の波長帯域のスループットが高く、あるいは、任意の狭波長帯域の１乃至は複数の可視光を照射できる美顔育毛器を提供することを目的とする。
また、超狭帯域の単色光を照射し、そのピーク波長を究極的に無段階に近い調節を可能とすることを目的とする。
【課題を解決するための手段】
【０００９】
本発明者は、様々な試作を行って、また、実際に自己の経営する美容クリニックにおいて実際にその効果を確認し、本発明を完成するに至ったのである。
【００１０】
本発明に係る美顔育毛器は、上記目的を達成するため、単色ＬＥＤ（Light Emitting Diode）光源若しくは単色レーザーダイオード光源から出射された単色光であって、半値幅が所定の波長幅以内の超狭帯域の単色光のピーク波長を可変とした波長可変単色光照射光源を備えたことを特徴とする。
【００１１】
ここで、波長可変単色光照射光源は、異なるピーク波長を有する複数の単色ＬＥＤ光源と、前記単色ＬＥＤ光源から出射された各々の光の波長帯域を絞るバンドバスフィルターと、前記バンドバスフィルターを透過した半値幅が１〜１０ｎｍの超狭帯域の光を拡散する拡散レンズとからなる構成とされることが好ましい。単色ＬＥＤ光源の場合は、光量の減衰を最小限に抑える観点から拡散レンズが好適である。
また、波長可変単色光照射光源は、異なるピーク波長を有する複数の単色レーザーダイオード光源と、前記単色レーザーダイオード光源の光を拡散するシリンドリカルレンズ、拡散板若しくは拡散レンズの中から１つ或いは２つ以上用いた拡散手段とからなる構成とされることが好ましい。単色レーザーダイオード光源の場合は、指向性が強い光を大面積に拡散させるといった観点から、シリンドリカルレンズ、拡散板若しくは拡散レンズの中から１つ或いは２つ以上用いたものが好適である。
ここで、シリンドリカルレンズを拡散手段に用いる場合は、２枚のシリンドリカルレンズを各々のレンズが直交する方向に配置して使用する。一般に、シリンドリカルレンズは、一方向のみの倍率調整が必要な用途に使われ、一方向に結像するだけであるが球面レンズと同じ結像公式が成立するため、１枚目のシリンドリカルレンズでビームを一方向についてコリメートし、それから２枚目のシリンドリカルレンズでそれと直交する方向についてもコリメートして使用する。
なお、シリンドリカルレンズを拡散手段に用いて、さらに拡散レンズ、拡散板などを併用してもかまわない。
【００１２】
特に、複数の単色ＬＥＤ光源が、赤色ＬＥＤ、青色ＬＥＤ、緑色ＬＥＤからなるものであり、前記赤色ＬＥＤを連続して中央に配置させ、その周囲を前記青色ＬＥＤおよび緑色ＬＥＤで取り囲むように配置させ、前記青色ＬＥＤおよび緑色ＬＥＤの光軸を中央へ傾けた構成がより好ましい。
【００１３】
また、波長可変単色光照射光源は、異なるピーク波長を有する複数の単色ＬＥＤ光源若しくは単色レーザーダイオード光源と、前記単色ＬＥＤ光源若しくは単色レーザーダイオード光源から出射された光を一つの光路に集束させる導光路と、前記導光路の出口側に設けられ所定の波長帯の光のみを選択通過させる分光手段と、分光手段から透過された光を拡散させる拡散手段とからなる構成とされることが好ましい。ここで、例えば、分光手段は回折格子により構成することができる。
【００１４】
また、波長可変単色光照射光源は、異なるピーク波長を有する複数の単色ＬＥＤ光源若しくは単色レーザーダイオード光源と、前記単色ＬＥＤ光源若しくは単色レーザーダイオード光源から出射された光のうち所定の波長成分の分散光のみを通過させるスリットとを備えてなる構成とされることが好ましい。
【００１５】
ここでスリットは、該スリットの幅方向の位置を前記分散方向に移動可能に構成することができるし、スリット幅を変更可能に構成することもできるし、あるいは、スリットの位置を、該スリットを通過する分散光と同一方向に移動可能に構成することもできる。また、スリットを分散方向に移動可能に構成する代わりに、回折格子を分散光の進行方向を変化させるように回転可能に構成することもできる。
【００１６】
次に、本発明の美顔育毛器は、超狭帯域の単色光照射し得るレーザー光源と、前記レーザー光源から出射された光の波長を可変にする波長可変ユニットと、前記波長可変ユニットから出力される光を拡散する拡散手段とからなることを特徴とする。
レーザー光源の場合は、光源から放射された光が狭帯域の光である。しかし、そのままでは指向性が強く、頭皮や顔などの大面積に照射することができない。よって、拡散手段により光源から出射された光を拡散して大面積の頭皮や顔などに照射する。特に、レーザー光源を用いた場合は、エネルギーが強く、そのまま皮膚に当てるとエネルギーの熱によって皮膚が損傷してしまうことがある。拡散させることにより充分にエネルギーを弱める。
【００１７】
ここで、波長可変ユニットとは、レーザー光源から出射された光の波長を可変にするものである。例えば、フラッシュランプ励起のＮｄ：ＹＡＧレーザー光源から照射された光を、光パラメトリック発信器（例えば、ＬＯＴＩＳ  ＴＩＩ社のブロードバンドＯＰＯのＬＴ−２２１４型を使用）結晶に入射させることにより、波長を連続で可変させることができる。また、波長可変ユニットとして、例えば、株式会社正興電機製作所製のＲａｉｎｂｏｗ  Ｌａｓｅｒを用いて、波長を連続で可変させることができる。この他、ＤＲＩＥＬ社の製品ＬＵＭＩＮＡＴＯＲ（登録商標）が波長可変ユニットとして使用できる。
【００１８】
レーザー光源を用いた場合は、照射光が超狭帯域に絞ることが可能となるため、究極的には、１ｎｍ毎にピーク波長をシフト可能な無段階調節することが可能な美顔育毛器を提供することが可能となるのである。
【００１９】
ここで拡散手段は、シリンドリカルレンズ、拡散板若しくは拡散レンズの中から１つ或いは２つ以上用いたものである。指向性が強いレーザー光を大面積に拡散させるといった観点から、単色レーザーダイオード光源の拡散手段と同様である。
【００２０】
また、単色ＬＥＤ光源は、複数の単色ＬＥＤをリング状、アレイ状、若しくはマトリックス状に配列してなるものを用いることができる。この単色ＬＥＤ光源としては青色ＬＥＤ、青緑色ＬＥＤ、緑色ＬＥＤ、檸檬色ＬＥＤ、黄色ＬＥＤ、橙色ＬＥＤ、赤色ＬＥＤを含むものを用いることができる。
【発明の効果】
【００２１】
本発明の美顔育毛器は、光源の光が干渉することなく、単色ＬＥＤ光源そのものの波長域でピーク波長付近の狭帯域の光のみを取り出し利用することで、同じ光量でも似た波長域の光よりも強い作用を得られることができるといった効果がある。すなわち、選択した狭帯域の光本来の特質をそのまま美容に活用することができるのである。エネルギーの強いレーザー光を皮膚に照射するのではなく、エネルギーを弱い単色光を照射することで、波長に由来する効果が現れるのである。
【００２２】
また、スリットを用いて所望の波長帯域の光を選択するので、所望の波長帯域だけでなくその周辺波長の光もある程度透過させてしまう従来の光学フィルターを用いる場合に比して、不要波長を確実に除去して所望の波長帯域の光のみを高精度で選択して通過させることができるといった効果を有する。
【００２３】
光源として単色ＬＥＤ光源を複数用いることにより、単色ＬＥＤ光源毎の波長帯域の光を任意に選択して照射させることができるといった効果を有する。この単色ＬＥＤ光源の種類の個数を増やして、各々の単色ＬＥＤ光源のピーク波長が少しずつずれるようにすることにより、可視光帯域で多段階の切替えが可能な構成としている。
また、単色ＬＥＤ光源に流す電流量を調整することで、単色ＬＥＤ光源のピーク波長の微調整を可能としている。
【００２４】
少しずつピーク波長がずれた単色ＬＥＤ光源を備えることによって、切替えの段数は増えていくことになる。つまり、可視光帯域でピーク波長があるところに切替えた場合には、光の強度は十分に確保できるため、選択可能な狭帯域の種類が増え、各々の狭帯域での可視光線の特質を最大限に利用できる。
【００２５】
将来、他の波長域のＬＥＤが開発された場合には、それら他の波長域のＬＥＤを本美顔育毛器に組み込むことによって、狭帯域の可視光について、究極的に無段階に近い調節を可能とするのである。
【発明を実施するための最良の形態】
【００２６】
以下、本発明に係る美顔育毛器の具体的な実施形態について、図面を参照しながら説明していく。
【実施例１】
【００２７】
図１は、本発明に係る美顔育毛器の使用イメージ図を示している。図１は顔に美顔育毛器１を使用する場合であるが、頭皮に使用する場合は、頭皮に特定波長帯の可視光線２０を照射させる。
【００２８】
図２は、実施例１の形態による美顔育毛器の全体構成図を示している。実施例１の美顔育毛器は、基板に配設された複数の単色ＬＥＤ光源を有する単色ＬＥＤ光源ユニット２と、その各々の単色ＬＥＤ光源から出射される単色光を一つに束ねるように光を導く導光路３（具体的には、光ファイバーを束ねたものを使用している）と、導光路３から出射する光を分光する分光器４と、分光器４の前方に配置された拡散レンズ５で構成されている。
拡散レンズ５は、凹レンズなどで構成され、顔などの照射部位に適度な大きさで照射するために、光を拡散させるものである。
【００２９】
ここで、単色ＬＥＤ光源ユニット２で用いている単色ＬＥＤ光源の詳細を下記表１に示す。
【００３０】
【表１】
2007203038.tif 000003
【実施例２】
【００３１】
図３は、実施例２の形態による美顔育毛器の全体構成図を示している。実施例２の美顔育毛器は、基板に配設された複数の単色ＬＥＤ光源を有する単色ＬＥＤ光源ユニット２と、各単色ＬＥＤ２の前方（光照射方向）に配置された集束レンズ１０と、集束レンズ１０の前方に配置されたスリット１１と、スリット１１の前方に配置された拡散レンズ１２を備えている。
ここで、集束レンズ１０は、凸レンズを組み合わせて構成され、前方のスリット１１に入射する光を集束させるためのものである。また、拡散レンズ１２は、凹レンズなどで構成され、顔などの照射部位に適度な大きさで照射するために、光を拡散させるものである。
【００３２】
単色ＬＥＤ２は、図３中、マトリックス状に、左右方向および紙面に垂直な方向に二次元状に所定ピッチで複数個配設されると共に、それらはいずれも互いに平行に図中左方向に光を出射しうるように配置されている。
【００３３】
スリット１１は、単色ＬＥＤ光源と同一ピッチで形成されており、各スリット１１のスリット幅（上記分散方向の幅）は同一とされている。その結果、すべてのスリット１１を同一の波長帯域の光が通過する。
【００３４】
スリット１１は、駆動手段（図示しない）により照射方向および照射方向に垂直な方向に移動可能に構成されている。そして、スリット１１を照射方向に移動させると、該移動に伴いスリット１１の対応するスペクトル位置が変化するため、中心波長の異なる波長帯域の分散光がスリット１１を通過することになり、これによって照射する光の波長帯域（中心波長）を更にシャープに選択することができる。
【実施例３】
【００３５】
図４は、実施例３の形態による美顔育毛器の全体構成図を示している。実施例３の美顔育毛器は、波長可変単色光照射光源が、下表２に示すピーク波長と半値幅特性を有する３つの単色ＬＥＤ光源７（赤色ＬＥＤ光源，青色ＬＥＤ光源，緑色ＬＥＤ光源のいずれか）と、単色ＬＥＤ光源７から出射された各々の光の波長帯域を絞るバンドバスフィルター１３と、バンドバスフィルター１３を透過した半値幅が１０ｎｍの超狭帯域の光を拡散する拡散レンズ１２から構成されている。
ここで、単色ＬＥＤ光源７としては、株式会社イマック製の超遠投ＬＥＤ光源ＩＢＦ−ＬＳを用いている。赤色ＬＥＤ光源，青色ＬＥＤ光源，緑色ＬＥＤ光源の型番名称は、それぞれ、IBF-LS40Ｒ-3Ｗ，IBF-LS40Ｇ-3Ｗ，IBF-LS40Ｂ-3Ｗである。単色ＬＥＤ光源７から照射される光は、超遠投な指向性のある光である。光径としては略４ｃｍで、この光を拡散レンズ１２を介して拡散させている。
【００３６】
【表２】
2007203038.tif 000004
【００３７】
これらの光源を表２に示す使用個数分を組み合わせ、実施例３の美顔育毛器の照射ユニットを構成する。図５に実施例３の美顔育毛器の照射ユニットのＬＥＤ光源の配置構成図を示す。
図５に示されるように、赤色ＬＥＤ、青色ＬＥＤ、緑色ＬＥＤの各種類の光源が配置されており、３個の赤色ＬＥＤが連続して中央に配置され、その周囲を４個の青色ＬＥＤおよび４個の緑色ＬＥＤで取り囲むように配置されている。具体的には、中央の３個の赤色ＬＥＤを挟んで、左右にそれぞれ２個の青色ＬＥＤおよび緑色ＬＥＤがあり、青色ＬＥＤおよび緑色ＬＥＤが互いに対向するように、かつ、交互に配置されている。また、青色ＬＥＤおよび緑色ＬＥＤの光軸は、それぞれ中央へ傾けており、全ＬＥＤがある領域に照射されるように調整している。
【００３８】
実施例３の美顔育毛器を用いて、実際に美顔効果について実験を行った。
実験は、５１才の男性の左顔側に対して、実施例３の美顔育毛器を使用した。
使用前と使用後の顔写真を図６−１〜図６−８に示す。なお、図６−２，図６−４，図６−６，図６−８は、美顔育毛器の効果を示すために、写真の両眼の目じりの外側の先端２点を結ぶ直線と、口唇の外側の先端２点を結ぶ直線を図中に描いている。
また、図７は、顔の左顔側に対して実施例３の美顔育毛器を使用している様子を示すものである。
【００３９】
実験の手順とその経過を示す写真との対応は以下の通りである。
（１）１日目（２００７年１月６日）
１回目ＬＥＤ照射前に、顔の写真を撮影したものを図６−１と図６−２に示す。図６−２を観察すると、写真の両眼の目じりの外側の先端２点を結ぶ直線と、口唇の外側の先端２点を結ぶ直線が、平行直線となっていることから、左顔側と右顔側に差が見られていないことが確認できる。
１日目は、以下の手順で実施例３の美顔育毛器を使用した。
・顔左側のみを赤色ＬＥＤ光源で１０分間照射した。
・顔左側のみを緑色ＬＥＤ光源で１０分間照射した。
【００４０】
１回目のＬＥＤ照射後に、顔の写真を撮影したものを図６−３と図６−４に示す。残念ながら少しピンボケ状態となっているものの、図６−３と図６−４から１回目のＬＥＤ照射後の顔写真は、１回目ＬＥＤ照射前と比べて、左眼外側はやや下方へ下垂し、口唇左側はやや挙上していることがわかる。このことは、図６−４を観察すると、写真の両眼の目じりの外側の先端２点を結ぶ直線が右下がりの直線となっており、口唇の外側の先端２点を結ぶ直線が右上がりの直線となっていることからもわかる。従って、上記照射により、顔左側のみ強いひきしめ効果が現れていることが理解できる。
【００４１】
（２）２日目（２００７年１月７日）
１日目の照射後、２４時間経過後の２回目ＬＥＤ照射前に、顔の写真を撮影したものを図６−５と図６−６に示す。図６−５と図６−６から１日目のひきしめ効果が残っていることが理解できる。
２日目は、以下の手順で実施例３の美顔育毛器を使用した。
・顔左側のみ赤色ＬＥＤ光源で１０分間照射した。
・顔左側のみ緑色ＬＥＤ光源で１０分間照射した。
【００４２】
２回目のＬＥＤ照射後に、顔の写真を撮影したものを図６−７と図６−８に示す。図６−７と図６−８から２回目ＬＥＤ照射後は、左眼外側は、さらに下方へ下垂し、口唇左側は挙上していることがわかる。このことは、図６−８を観察すると、写真の両眼の目じりの外側の先端２点を結ぶ直線が右下がりの直線となっており、口唇の外側の先端２点を結ぶ直線が右上がりの直線となっていることからもわかる。従って、上記照射により、顔左側のみ非常に強いひきしめ効果が現れていることが理解できる。
【００４３】
また、別の実験として、５６才の男性の頭皮に対して、頭部の脱毛が著しいため、実施例３の美顔育毛器を使用した治療を行った。
使用前と７回使用した後の頭皮写真をそれぞれ図８−１と図８−２に示す。また、図８−３に、頭皮を斜めから撮影した写真を示す。
使用頻度としては、１回の照射では、赤色ＬＥＤ照射を７分、緑色ＬＥＤ照射を７分、青色ＬＥＤ照射を７分行う。１２月１５日から使用を開始し、１月９日まで３〜５日おきに照射を行った。
図８−１と図８−２や図８−３を比較すると、頭部中央から細かい毛が生えてきていることが確認できる。
【産業上の利用可能性】
【００４４】
本発明に係る美顔育毛器は、種々の化粧水や美容液と組み合わせて使用したり、イオン導入法や超音波導入法と組み合わせて使用したり、また、遠赤外線照射やマイナスイオン照射と組み合わせて使用したり、また、パルス静電磁場と併用することとしたりして、頭部の育毛促進、美肌、美顔など医療やエステティック産業に利用できる。
また、本発明に係る美顔育毛器による効能を、植物などの農産物成長促進や家畜などの生体成長に利用することも可能である。
【図面の簡単な説明】
【００４５】
【図１】本発明に係る美顔育毛器の使用イメージ図
【図２】実施例１にかかる美顔育毛器の概略構成図
【図３】実施例２にかかる美顔育毛器の概略構成図
【図４】実施例３にかかる美顔育毛器の概略構成図で、（ａ）は側面断面図で、（ｂ）は正面図である。
【図５】実施例３の美顔育毛器の照射ユニットのＬＥＤ光源の配置構成図
【図６−１】１回目のＬＥＤ照射前に撮影した顔写真
【図６−２】１回目のＬＥＤ照射前に撮影した顔写真（線を描いたもの）
【図６−３】１回目のＬＥＤ照射後に撮影した顔写真
【図６−４】１回目のＬＥＤ照射後に撮影した顔写真（線を描いたもの）
【図６−５】２回目のＬＥＤ照射前に撮影した顔写真
【図６−６】２回目のＬＥＤ照射前に撮影した顔写真（線を描いたもの）
【図６−７】２回目のＬＥＤ照射後に撮影した顔写真
【図６−８】２回目のＬＥＤ照射後に撮影した顔写真（線を描いたもの）
【図７】実施例３にかかる美顔育毛器の使用状態を示す写真
【図８−１】使用前に撮影した頭皮写真
【図８−２】使用後に撮影した頭皮写真
【図８−３】使用後に撮影した頭皮写真（斜めから撮影）
【符号の説明】
【００４６】
１    美顔育毛器
２    単色ＬＥＤ光源ユニット
３    導光路
４    分光器
５    レンズ
６    回折格子
７    ＬＥＤ光源
１０  集束レンズ
１１  スリット
１２  拡散レンズ
１３  バンドパスフィルター
１４  信号・電源ケーブル
１５  筐体フレーム
１６  赤色ＬＥＤ光源
１７  青色ＬＥＤ光源
１８  緑色ＬＥＤ光源
２０  特定波長帯の可視光線
２１  人の顔
【図１】
2007203038.tif 000005
【図２】
2007203038.tif 000006
【図３】
2007203038.tif 000007
【図４】
2007203038.tif 000008
【図５】
2007203038.tif 000009
【図６−１】
2007203038.tif 000010
【図６−２】
2007203038.tif 000011
【図６−３】
2007203038.tif 000012
【図６−４】
2007203038.tif 000013
【図６−５】
2007203038.tif 000014
【図６−６】
2007203038.tif 000015
【図６−７】
2007203038.tif 000016
【図６−８】
2007203038.tif 000017
【図７】
2007203038.tif 000018
【図８−１】
2007203038.tif 000019
【図８−２】
2007203038.tif 000020
【図８−３】
2007203038.tif 000021